(57)【要約】      （修正有）【課題】二つのモード切替が可能な無停電電源検知装置を提供する。【解決手段】住宅用電気と接続された第一操作モジュール１と、照明器具４と接続された第二操作モジュール２とからなる。第一操作モジュールには、起動スイッチ１１と、第一電力検知ユニット１２と、無線送信機１３が設けられる。第二操作モジュールには、第二電力検知ユニット２１と、リセットスイッチ２２と、無線受信機２３が設けられる。第二操作モジュールと第一操作モジュールは、無線受信機及び無線送信機によって通信する。通常通電時には、第二操作モジュールが作動して、有線制御モードとなる。起動スイッチによって無線送信機が作動した時、第二操作モジュールから第一操作モジュールへ作動主導権が移行し、無線制御モードに変更される。無線制御モードから有線制御モードに戻す場合は、リセットスイッチによって第二操作モジュールの設定を行う。【選択図】図１
0003193100.tif 000002
【実用新案登録請求の範囲】
【請求項１】
第一操作モジュールと、第二操作モジュールとからなる無停電電源検知装置であって、
前記第一操作モジュールは、住宅用電気と電気的に接続されるとともに、起動スイッチと、第一電力検知ユニットと、無線送信機が設けられ、
前記第二操作モジュールは、照明器具と電気的に接続されるとともに、第二電力検知ユニットと、リセットスイッチと、無線受信機が設けられ、
前記第二操作モジュールと前記第一操作モジュールは、前記無線受信機及び前記無線送信機を通して通信を行うことにより、作動主導権が前記第二操作モジュールから前記第一操作モジュールへ移行し、更に前記作動主導権は前記リセットスイッチが作動することにより、前記第二操作モジュールへ戻り、
以上の構造により、
二つのモードに切替えることができることを特徴とする、無停電電源検知装置。
【請求項２】
前記第一操作モジュールには、更に第一交流変圧器と、第一給電部品と、第一制御ユニットが設けられ、
前記第一交流変圧器と前記第一給電部品と前記第一電力検知ユニットは、電気的に接続され、
前記第一電力検知ユニットと前記第一制御ユニットは、データ接続され、
前記第一制御ユニットと前記起動スイッチは、連動し、
前記無線送信機と前記第一制御ユニットは、連動し、
前記第二操作モジュールには、更に充電ユニットと、駆動ユニットと、第二制御ユニットと、第二給電部品が設けられ、
前記充電ユニットと前記第二給電部品と前記第二電力検知ユニットは、電気的に接続され、
前記第二給電部品と前記駆動ユニットは、連動し、
前記駆動ユニットと前記第二制御ユニットと前記第二電力検知ユニットは、連動し、
前記第二操作モジュールと前記住宅用電気の間には、更にスイッチが設けられ、
前記照明器具は、前記第二操作モジュールの後端に設けられるとともに、ハロゲンランプ・白熱電球・蛍光灯・発光ダイオードのうちのいずれか一つであり、
前記第二操作モジュールには、更に光色調整モジュールが設けられ、
前記光色調整モジュールは、光色が２３００Ｋ〜３５００Ｋの間になるように作動し、
前記第二操作モジュールには、更にタイマー式開閉モジュールが設けられることを特徴とする、請求項１に記載の無停電電源検知装置。
【考案の詳細な説明】
【技術分野】
【０００１】
本考案は、無停電電源検知装置に関し、特に二つのモードに切替えることができる作動モード切替構造を備えた、無停電電源検知装置に関する。
【背景技術】
【０００２】
現在、市販されている非常用照明器具の多くは、一般的な非常口、及び通路の曲がり角に設置されるとともに、通常の電力供給が中断された時、一定輝度の照明効果を維持し続けて、正確な避難経路を示すために使用されている。また、近年の住居生活環境の向上に伴い、建築物の設計は、快適さだけでなく、安全性に対する配慮がより求められるようになってきている。
【０００３】
上述した非常用照明器具は、交・直流電気の自動切替装置を備えており、平常時は  出力された交流電源に相当する直流電源が予備電池に自動で充電され、充電量が満たされると自動で充電が停止する。停電時には、自動で予備回路に切替わり、予備電源からの給電によって非常用照明として用いられる。また、現在多く採用されているのは、有線或いは無線による操作方法であるが、このような構造は、使用が制限される上、二種の操作方法を統合する術がないため、使用者にとって不便である。
【考案の概要】
【考案が解決しようとする課題】
【０００４】
本考案は、二つのモードに切替えることができる作動モード切替構造を備えた、無停電電源検知装置を提供することを目的とする。
【課題を解決するための手段】
【０００５】
上述の目的を達成するため、本考案は、第一操作モジュールと、第二操作モジュールとからなる。第一操作モジュールは、住宅用電気と電気的に接続されるとともに、起動スイッチと、第一電力検知ユニットと、無線送信機が設けられる。第二操作モジュールは、照明器具と電気的に接続されるとともに、第二電力検知ユニットと、リセットスイッチと、無線受信機が設けられる。第二操作モジュールと第一操作モジュールは、前記無線受信機及び無線送信機によって通信を行う。以上の構造により、起動スイッチを操作した時、無線送信機が一つの信号を発信し、無線受信機によって受信されることにより、第二操作モジュールから第一操作モジュールへ作動主導権が移行して、無線制御モードに入る。逆に、無線制御モードから有線制御モードへ戻す場合は、リセットスイッチによって第二操作モジュールをリセット（ＲＥＳＥＴ）する。これにより、無線制御モードから有線制御モードへ戻るとともに、作動主導権が第一操作モジュールから第二操作モジュールへ戻る。
【考案の効果】
【０００６】
以上の構造により、本考案は、有線、或いは無線の作動モードを自由に選択して切替えることができる、二つのモード切替という長所を有する。
【図面の簡単な説明】
【０００７】
【図１】本考案の構造を示したブロック図である。
【図２】本考案の無線制御モードにおける作動を示した概略図である。
【図３】本考案の有線制御モードにおける作動を示した概略図である。
【考案を実施するための形態】
【０００８】
図１を参照する。図は、本考案の構造を示したブロック図である。本考案は、第一操作モジュール１と、第二操作モジュール２とからなる。
【０００９】
第一操作モジュール１は、住宅用電気と電気的に接続されるとともに、起動スイッチ１１と、第一電力検知ユニット１２と、無線送信機１３が設けられる。
【００１０】
第二操作モジュール２は、照明器具４と電気的に接続されるとともに、第二電力検知ユニット２１と、リセットスイッチ２２と、無線受信機２３が設けられる。第二操作モジュール２と第一操作モジュール１は、無線受信機２３及び無線送信機１３を通して通信を行うことにより、作動主導権が第二操作モジュール２から第一操作モジュール１へ移行する。更に作動主導権は、スイッチ２２がリセットされることにより第二操作モジュール２へ戻る。
【００１１】
上述した第一操作モジュール１には、更に第一交流変圧器１４と、第一給電部品１５と、第一制御ユニット１６が設けられる。第一交流変圧器１４と第一給電部品１５と第一電力検知ユニット１２は、電気的に接続される。第一電力検知ユニット１２と第一制御ユニット１６は、データ接続される。第一制御ユニット１６と起動スイッチ１１、及び無線送信機１３と第一制御ユニット１６は、それぞれ連動する。
【００１２】
上述した第二操作モジュール２には、更に充電ユニット２４と、駆動ユニット２５と、第二制御ユニット２６と、第二給電部品２７が設けられる。充電ユニット２４は、第二給電部品２７及び第二電力検知ユニット２１と電気的に接続される。第二給電部品２７と駆動ユニット２５は連動する。また、駆動ユニット２５は、第二制御ユニット２６及び第二電力検知ユニット２１と連動する。
【００１３】
上述した第二操作モジュール２と前記住宅用電気の間には、更にスイッチ３が設けられる。照明器具４は、第二操作モジュール２の後端に設けられ、且つ照明器具４はハロゲンランプ・白熱電球・蛍光灯・発光ダイオードのうちのいずれか一つである。
【００１４】
上述した第二操作モジュール２には、更に光色調整モジュール２８と、タイマー式開閉モジュール２９が設けられる。光色調整モジュール２８が作動することにより、光色が２３００Ｋ〜３５００Ｋの間に調整される。
【００１５】
図１〜図３を参照する。本考案の無停電電源検知装置は、二種の作動モード、即ち、有線及び無線の制御モードを有する。一般的な状況では、有線制御モード（第二操作モジュール２によって作動する）に設定され、第二電力検知ユニット２１がスイッチ３が正常に給電しているかどうか検知するとともに、住宅用電気が充電ユニット２４に入って第二給電部品２７を充電し、且つ駆動ユニット２５が作動することにより、照明器具４が発光する。以上は、有線制御モードにおいて正常に給電されている状況であるが、この状況において停電が発生した場合、照明器具４が作動するための電力は第二給電部品２７によって提供される。尚、以上の作動状況は、照明器具４が消灯されることがない（即ち、スイッチ３が常に”ＯＮ”状態である）場所に適用可能である。もし、スイッチ３を通常通り操作できるようにする（即ち、スイッチ３が”ＯＮ”の時に照明器具が起動し、スイッチ３が”ＯＦＦ”の時に照明器具が消灯する）場合は、無線制御モード（第一操作モジュール１によって作動する）に設定する必要がある。この場合、起動スイッチ１１によって第一制御ユニット１６を操作するとともに、無線送信機１３から無線受信機２３へ信号が送信される。この時、第二制御ユニット２６が前記信号を受信することにより、作動主導権が第一操作モジュール１へ移行する（無線制御モードに入る）。第一電力検知ユニット１２は、住宅用電気が正常に供給されているかどうか検知し、正常に供給されていれば、第一交流変圧器１４が第一給電部品１５を充電するとともに、住宅用電気が第二操作モジュール２の作動に必要な電力を直接供給する。この時、スイッチ３が”ＯＮ”であれば照明器具４が起動し、スイッチ３が”ＯＦＦ”であれば照明器具４が消灯する。また、停電時には、第一給電部品１５が第一操作モジュール１に作動するための電力を供給し、第一操作モジュール１の無線送信機１３から送信された停電信号が第二操作モジュール２の無線受信機２３によって受信されることにより、第二操作モジュール２の第二給電部品２７が照明器具４に電力を供給する。尚、以上の作動状況は、一般的なスイッチを有する照明器具に適用可能である。また、無線制御モードから有線制御モードに戻す場合は、リセットスイッチ２２を操作する必要がある。即ち、リセットスイッチ２２によって第二給電部品２７をリセットすることにより、第一操作モジュール１から第二操作モジュール２へ作動主導権が戻る。停電状態においては、光色調整モジュール２８及びタイマー式開閉モジュール２９によって、光色調整及びタイマーの機能が果たされる。照明器具４が色温度の変更機能を有する場合、住宅用電気が異常状態を示すと、照明器具４の色温度が２３００Ｋ〜３５００Ｋの間になり非常用照明の光源として機能する。非常用照明として作動する際、第二操作モジュール２内のタイマー式開閉モジュール２９が、非常用照明のスイッチ作動時間を自動制御する。
【符号の説明】
【００１６】
１            第一操作モジュール
１１   起動スイッチ
１２   第一電力検知ユニット
１３   無線送信機
１４   第一交流変圧器
１５   第一給電部品
１６   第一制御ユニット
２            第二操作モジュール
２１   第二電力検知ユニット
２２   リセットスイッチ
２３   無線受信機
２４   充電ユニット
２５   駆動ユニット
２６   第二制御ユニット
２７   第二給電部品
２８   光色調整モジュール
２９   タイマー式開閉モジュール
３            スイッチ
４            照明器具
【図１】
0003193100.tif 000003
【図２】
0003193100.tif 000004
【図３】
0003193100.tif 000005